(57)【要約】【課題】梁の側方位置に外壁パネルが設置された構成において梁周りの耐火性能をより容易に確保する。【解決手段】鋼材からなる梁２と、梁２の側方位置に配置された外壁パネル３と、を有する建物１において、梁２のうち、下面及び屋内側に位置する側面が被覆断熱材５によって覆われており、梁２のうち、屋外側に位置する側面が外壁パネル２の裏面に対向しており、外壁パネルにおいて裏面の少なくとも一部をなす部分が石膏ボード１０によって構成されている。【選択図】図１
2018155037.tif 000002
【特許請求の範囲】
【請求項１】
鋼材からなる梁と、該梁の側方位置に配置された外壁パネルと、を有する建物であって、
前記梁のうち、下面及び前記建物の屋内側に位置する側面が断熱材によって覆われており、
前記梁のうち、前記建物の屋外側に位置する側面が前記外壁パネルの裏面に対向しており、
前記外壁パネルにおいて前記裏面の少なくとも一部をなす部分が耐火材によって構成されていることを特徴とする建物。
【請求項２】
前記外壁パネルは、該外壁パネルの厚み方向に複数の層を並べて構成された積層パネルであり、
前記複数の層のうち、前記厚み方向において前記建物の屋内側に位置する層は、前記耐火材が取り付けられた断熱層であることを特徴とする請求項１に記載の建物。
【請求項３】
前記断熱層は、断熱材からなる断熱層本体部と、該断熱層本体部を取り囲んだ金属製の枠部と、を有し、
前記枠部において所定方向に延出する延出部分には、該延出部分と交差する方向に突出した突出部分が設けられており、
前記突出部分に前記耐火材が締結具によって固定されていることを特徴とする請求項２に記載の建物。
【請求項４】
前記延出部分には、該延出部分の延出方向に沿って延びた凹部が形成されており、
前記突出部分を有する金物が前記凹部に嵌まり込むことで前記延出部分に前記突出部分が設けられており、
前記突出部分は、前記延出方向及び前記厚み方向と交差する方向に突出していることを特徴とする請求項３に記載の建物。
【請求項５】
前記突出部分に固定された状態の前記耐火材は、前記断熱層本体部のうち、前記耐火材の周囲に位置する部分とともに前記外壁パネルの前記裏面を構成し、
前記裏面のうち、前記耐火材によって構成される領域と、前記耐火材の周囲に位置する前記断熱層本体部によって構成される領域とが前記厚み方向において同じ位置に配置されるように前記耐火材が前記突出部分に固定されていることを特徴とする請求項４に記載の建物。
【請求項６】
前記梁は、Ｈ形鋼からなり、
前記梁のフランジ部に前記外壁パネルが固定されており、
前記梁のウェブ部のうち、前記建物の屋外側に位置する側面が前記外壁パネルの前記裏面に対向しており、
前記外壁パネルにおいて前記裏面の少なくとも一部をなす部分が石膏ボードからなることを特徴とする請求項１乃至５のいずれか一項に記載の建物。
【請求項７】
前記外壁パネルは、固定用金物を介して前記梁の前記フランジ部に固定されており、
前記外壁パネルの下方位置には他の外壁パネルが配置されており、
前記外壁パネルと前記他の外壁パネルとの間には隙間が形成されており、
前記隙間の屋内側開口がゴム製のシール剤によって塞がれていることを特徴とする請求項６に記載の建物。
【発明の詳細な説明】
【技術分野】
【０００１】
本発明は、建物に係り、特に、梁の側方位置に外壁パネルが設置された構成で梁周りの耐火性能を確保することが可能な建物に関する。
【背景技術】
【０００２】
梁の側方位置に外壁パネルが設置された建物において梁周りの耐火性能を確保するための技術は、これまでに幾つか開発されている。例えば、特許文献１に記載の技術によれば、梁であるＨ形鋼の周囲を耐火板で覆うことで耐火性能を確保している。
【先行技術文献】
【特許文献】
【０００３】
【特許文献１】特開２００４−００３２８８号公報
【発明の概要】
【発明が解決しようとする課題】
【０００４】
ただし、特許文献１に記載の技術を用いる場合には、梁であるＨ形鋼の周囲を耐火板で覆うのに手間を要し、施工し難くなってしまう。また、外壁パネルが梁に側方位置にある構成では、梁周りに耐火板を配置することが特に困難となり、作業効率が著しく低くなる可能性がある。
【０００５】
これに対して、梁周りの耐火性能をより簡単な施工方法にて確保するための方策としては、図７に示す構成が考えられる。図７は、参考例に係る梁周りの耐火構造を示す側方断面図である。
【０００６】
図７に図示の耐火構造について説明すると、Ｈ形鋼からなる梁１００に略ブロック形状のロックウール板１１０が取り付けられている。このロックウール板１１０は、梁１００の両フランジ部１０１、１０２とウェブ部１０３とで形成される空間Ｓに挿入された梁挿入部１１１と、ロックウール板１１０の上端部及び下端部に突出形成された被覆部１１２と、を備える。そして、梁挿入部１１１が上記の空間Ｓに挿入されると、被覆部１１２がフランジ部１０１、１０２の小口面を被覆するようになる。
【０００７】
以上のように図７に図示のロックウール板１１０によれば、梁挿入部１１１を空間Ｓに挿入するのみで梁１００に取り付けられる。しかしながら、梁１００と外壁パネルとの間隔が比較的狭い場合には、上記のロックウール板１１０であっても梁１００への取り付け作業が困難となる。
【０００８】
そこで、本発明は、上記の課題に鑑みてなされたものであり、その目的とするところは、梁の側方位置に外壁パネルが設置された構成において梁周りの耐火性能をより容易に確保することが可能な建物を提供することである。
【課題を解決するための手段】
【０００９】
前記課題は、本発明の建物によれば、鋼材からなる梁と、該梁の側方位置に配置された外壁パネルと、を有する建物であって、前記梁のうち、下面及び前記建物の屋内側に位置する側面が断熱材によって覆われており、前記梁のうち、前記建物の屋外側に位置する側面が前記外壁パネルの裏面に対向しており、前記外壁パネルにおいて前記裏面の少なくとも一部をなす部分が耐火材によって構成されていることにより解決される。
【００１０】
以上のように構成された本発明の建物では、梁のうち、下面及び屋内側に位置する側面を断熱材によって覆う。また、梁のうち、屋外側に位置する側面を外壁パネルの裏面と対向させる。ここで、外壁パネルにおいて裏面の少なくとも一部をなす部分は、耐火材によって構成されている。これにより、梁の屋外側に位置する側面を覆う部材を取り付ける必要がなくなり、結果として、梁周りの耐火性能をより容易に確保することが可能となる。
【００１１】
また、上記の構成において、前記外壁パネルは、該外壁パネルの厚み方向に複数の層を並べて構成された積層パネルであり、前記複数の層のうち、前記厚み方向において前記建物の屋内側に位置する層は、前記耐火材が取り付けられた断熱層であるとよい。
上記の構成では、外壁パネルのうち、梁の側面（厳密には、屋外側の側面）と対向する部分が、耐火材が取り付けられた断熱層となっている。これにより、梁周り（特に、梁と外壁パネルとの間）における耐火性能を効率よく確保することが可能となる。
【００１２】
また、上記の構成において、前記断熱層は、断熱材からなる断熱層本体部と、該断熱層本体部を取り囲んだ金属製の枠部と、を有し、前記枠部において所定方向に延出する延出部分には、該延出部分と交差する方向に突出した突出部分が設けられており、前記突出部分に前記耐火材が締結具によって固定されているとよい。
上記の構成では、外壁パネルの断熱層に設けられた枠部の延出部分に突出部分を設け、当該突出部分に耐火材を固定する。これにより、耐火材を適切に外壁パネルに固定することが可能となる。
【００１３】
また、上記の構成において、前記延出部分には、該延出部分の延出方向に沿って延びた凹部が形成されており、前記突出部分を有する金物が前記凹部に嵌まり込むことで前記延出部分に前記突出部分が設けられており、前記突出部分は、前記延出方向及び前記厚み方向と交差する方向に突出しているとよい。
上記の構成では、枠部の延出部分に形成された凹部に、突出部分を有する金物を嵌め込むことで上記の延出部分に突出部分が設けられるようになる。このような構成であれば、耐火材を固定するためのスペースを容易に確保することが可能となる。
【００１４】
また、上記の構成において、前記突出部分に固定された状態の前記耐火材は、前記断熱層本体部のうち、前記耐火材の周囲に位置する部分とともに前記外壁パネルの前記裏面を構成し、前記裏面のうち、前記耐火材によって構成される領域と、前記耐火材の周囲に位置する前記断熱層本体部によって構成される領域とが前記厚み方向において同じ位置に配置されるように前記耐火材が前記突出部分に固定されているとよい。
上記の構成では、外壁パネルの裏面のうち、耐火材によって構成される領域と、耐火材の周囲に位置する断熱層本体部によって構成される領域とが略面一となる。これにより、外壁パネルの取り扱い易さ（例えば、運搬し易さ）が向上する。
【００１５】
また、上記の構成において、前記梁は、Ｈ形鋼からなり、前記梁のフランジ部に前記外壁パネルが固定されており、前記梁のウェブ部のうち、前記建物の屋外側に位置する側面が前記外壁パネルの前記裏面に対向しており、前記外壁パネルにおいて前記裏面の少なくとも一部をなす部分が石膏ボードからなるとよい。
上記の構成では、Ｈ形鋼からなる梁のウェブ部のうち、屋外側に位置する側面が外壁パネルの裏側に配置された石膏ボードと対向する。このような構成であれば、梁周りの耐火性能を適切に確保することが可能となる。
【００１６】
また、上記の構成において、前記外壁パネルは、固定用金物を介して前記梁の前記フランジ部に固定されており、前記外壁パネルの下方位置には他の外壁パネルが配置されており、前記外壁パネルと前記他の外壁パネルとの間には隙間が形成されており、前記隙間の屋内側開口がゴム製のシール剤によって塞がれているとよい。
上記の構成では、上下に並ぶ外壁パネルの間の隙間の屋内側開口をゴム製のシール剤によって塞ぐ。このようにパネル間の隙間の屋内側開口がゴム製のシール剤によって塞がれることで、建物の耐火性能を更に向上させることが可能となる。
【発明の効果】
【００１７】
本発明の建物によれば、梁の側方位置に外壁パネルが設置された構成において梁周りの耐火性能をより容易に確保することが可能となる。
【図面の簡単な説明】
【００１８】
【図１】本発明の一実施形態に係る建物が採用する耐火構造を示す側方断面図である。
【図２】本発明の一実施形態に係る外壁パネルを屋外側から見た図である。
【図３】本発明の一実施形態に係る外壁パネルの屋内側断熱層を裏側から見た図である。
【図４】図３のＡ−Ａ断面を示す図である。
【図５】図３のＢ−Ｂ断面を示す図である。
【図６】本発明の一実施形態に係る建物における耐火構造の施工手順を示す図である。
【図７】参考例に係る建物が採用する耐火構造を示す図である。
【発明を実施するための形態】
【００１９】
以下、本発明の一実施形態（以下、本実施形態）について図面を参照しながら説明する。なお、以下に説明する実施形態は、本発明の理解を容易にするための一例であり、本発明を限定するものではない。すなわち、本発明は、その趣旨を逸脱することなく、変更、改良され得る。また、当然ながら、本発明にはその等価物が含まれ得る。
【００２０】
本実施形態に係る建物は、鋼材からなる梁の側方位置に外壁パネルが配置された建物である。建物には、住宅（戸建住宅や集合住宅）、商業ビル、工業内の建屋、店舗及び施設等が含まれる。なお、以下では、複数階建ての建物を例に挙げて説明することとする。ただし、本発明は、一階建ての建物にも適用可能である。
【００２１】
また、以下の説明中、「屋内側」及び「屋外側」とあるのは、建物の屋内側及び屋外側を意味している。
【００２２】
＜建物の概略構造＞
先ず、図１を参照しながら本実施形態に係る建物（以下、建物１）について概略構造を説明する。建物１は、図１に示すように階層間に梁２を有する。この梁２は、鋼材からなり、厳密にはＨ形鋼からなる。梁２は、その直上にある階（上階）の床パネル６を上面に載せて支持する。また、梁２は、その直下に位置する階の天井パネル（不図示）や内壁パネル７を、金物（具体的には、後述の下側固定用金物４）を介して支持する。
【００２３】
梁２の側方位置（厳密には、梁２よりも屋外側に位置して梁２と横並び状態となる位置）には、図１に示すように、外壁パネル３が配置されている。この外壁パネル３（以下、上方の外壁パネル３）は、上側固定用金物９を介して梁２の上側のフランジ部２ａに固定されている。上側固定用金物９は、固定用金物の一例であり、鋼板を３次元状に折り曲げたり複数の板片を溶接したりすることで構成されている。また、上側固定用金物９は、梁２に固定される部分（梁固定部９ａ）と、上方の外壁パネル３に固定される外壁パネル固定部９ｂと、を有する。
【００２４】
梁固定部９ａは、梁２の上側のフランジ部２ａの上に載置され、当該フランジ部２ａにボルト止めされている。梁固定部９ａは、屋外側に向かって略水平に延出している。外壁パネル固定部９ｂは、梁固定部９ａの屋外側端部に隣接し、梁固定部９ａと略直交する方向に延出している。そして、外壁パネル固定部９ｂの屋外側端面に上方の外壁パネル３が固定されている。
【００２５】
さらに、梁２には、その直下に位置する階（下階）の外壁を構成する外壁パネル３（以下、下方の外壁パネル３）が取り付けられている。下方の外壁パネル３は、他の外壁パネルに該当し、図１に示すように上方の外壁パネル３の下方位置（厳密には、直下位置）に配置されている。下方の外壁パネル３は、下側固定用金物４を介して梁２の下側のフランジ部２ａに固定されている。
【００２６】
下側固定用金物４は、鋼板を３次元状に折り曲げたり複数の板片を溶接したりすることで構成されている。また、下側固定用金物４は、図１に示すように、梁２に固定される部分（梁固定部４ａ）と、下方の外壁パネル３に固定される部分（外壁パネル固定部４ｂ）と、内壁パネル７に固定される部分（内壁パネル固定部４ｃ）と、を有する。
【００２７】
梁固定部４ａは、梁２の下側のフランジ部２ａの直下に位置し、当該フランジ部２ａにボルト止めされている。外壁パネル固定部４ｂは、梁固定部４ａと連続しており、側方視で逆さＪ字状に屈曲している。そして、外壁パネル固定部４ｂの屋外側の端部に下方の外壁パネル３が固定されている。内壁パネル固定部４ｃは、梁固定部４ａから垂下している。そして、内壁パネル固定部４ｃに内壁パネル７の上端部が固定されている。
【００２８】
ところで、上方の外壁パネル３と下方の外壁パネル３との間には、図１に示すように隙間としての目地Ｍが形成されている。目地Ｍは、梁２の長手方向（換言すると、建物１の梁方向）に沿って長く延びた横目地であり、屋外側及び屋内側にそれぞれ開口を有している。目地Ｍの屋外側開口は、上方の外壁パネル３の仕上げ材１１と、下方の外壁パネル３の仕上げ材１１との間に設けられた開口である。目地Ｍの屋内側開口は、上方の外壁パネル３の屋内側断熱層１４と、下方の外壁パネル３の屋内側断熱層１４との間に設けられた開口である。なお、図１に示すように、目地Ｍの屋外側開口は、屋内側開口よりも下がった位置にある。
【００２９】
そして、目地Ｍの屋外側開口及び屋内側開口は、それぞれ、封止材にて塞がれている。より詳しく説明すると、目地Ｍの屋外側開口は、コーキング材Ｔ１によって塞がれている。目地Ｍの屋内側開口は、シリコーンゴムからなるシール剤Ｔ２によって塞がれている。なお、目地Ｍの屋内側開口をゴム製のシール剤Ｔ２にて塞ぐことにより、建物１の耐火性能を効果的に向上させることが可能となる。
【００３０】
＜外壁パネルの詳細構造＞
次に、図１〜図５を参照しながら前述した外壁パネル３の構成、特に、上方の外壁パネル３の構成について説明する。建物１の外壁を構成する外壁パネル３は、いずれも、その厚み方向に複数の層を並べて構成された積層パネルである。具体的に説明すると、外壁パネル３は、図１及び図２に示すように、屋外側から順に、仕上げ材１１、通気層１２、屋外側断熱層１３及び屋内側断熱層１４を有する。
【００３１】
仕上げ材１１は、正面視で略矩形状のボード材（面材）からなる層である。なお、外壁パネル３において、仕上げ材１１の上端は、残りの層（屋外側断熱層１３や屋内側断熱層１４）の上端よりも若干下がった位置にある。仕上げ材１１の下端も、また、残りの層の下端よりも若干下がった位置にある。
【００３２】
通気層１２は、仕上げ材１１と屋外側断熱層１３との間に設けられた空間である。なお、図２に示すように、仕上げ材１１と屋外側断熱層１３との間には、通気層１２を形成するためのスペーサ１２ａが介在している。屋外側断熱層１３は、断熱材（例えば、高密度グラスウール）のボードによって構成されており、幾分の厚みを有する。
【００３３】
屋内側断熱層１４は、外壁パネル３を構成する複数の層のうち、外壁パネル３の厚み方向において屋内側に位置する断熱層である。すなわち、屋内側断熱層１４において屋内側に面する面（以下、屋内側断熱層１４の裏面）は、外壁パネル３の裏面に相当する。そして、外壁パネル３が梁２の側方位置に設置された状態では、図１に示すように、屋内側断熱層１４の裏面が梁２のウェブ部２ｂのうち、屋外側に位置する側面と対向する。
【００３４】
屋内側断熱層１４は、図２及び図３に示すように、断熱材（例えば、高性能グラスウール）からなる断熱層本体部１４ａと、断熱層本体部１４ａを取り囲んだ金属製のパネルフレーム１４ｂと、を有する。パネルフレーム１４ｂは、枠部に相当し、正面して略矩形型をなしている。また、外壁パネル３が設置された状態では、パネルフレーム１４ｂの長辺方向が梁方向に沿っている。
【００３５】
パネルフレーム１４ｂについてより詳しく説明すると、パネルフレーム１４ｂは、図３に示すように、短辺をなす一対の短辺部２１と、短辺部２１の両端同士を連結している一対の長辺部２２とを有する。各長辺部２２は、パネルフレーム１４ｂにおいて所定方向に延出する延出部分であり、具体的には短辺部２１と直交する方向に延出している。なお、本実施形態では、パネルフレーム１４ｂのうち、外壁パネル３が所定位置（正規の配置位置）に配置された状態にあるときに鉛直方向に沿う部分が長辺部２２となる。ただし、これに限定されるものではなく、外壁パネル３が正規の配置位置に配置された状態にあるときに鉛直方向に沿う部分が短辺部２１であってもよい。
【００３６】
また、パネルフレーム１４ｂは、短辺部２１の中央部同士を連結している中間部２３を有する。この中間部２３は、長辺部２２と同じくパネルフレーム１４ｂにおいて所定方向に延出する延出部分である。より具体的に説明すると、中間部２３は、パネルフレーム１４ｂによって囲まれる空間（フレーム内空間）を二分するように、短辺部２１と直交する方向に延出している。
【００３７】
そして、図４及び図５に示すように、短辺部２１、長辺部２２及び中間部２３によって囲まれるスペースにボード状の断熱層本体部１４ａが嵌まり込まれることで、屋内側断熱層１４が構成されている。
【００３８】
また、本実施形態において、図３に示すように、屋内側断熱層１４の裏側（屋内側）には耐火材としての石膏ボード１０が取り付けられている。この石膏ボード１０は、正面視で略矩形状の板体であり、外壁パネル３において当該外壁パネル３の裏面（厳密には、屋内側断熱層１４の裏面）の一部をなす部分である。
【００３９】
より詳しく説明すると、図３に示すように、パネルフレーム１４ｂにおいて短辺部２１、長辺部２２及び中間部２３によって囲まれるスペースに断熱層本体部１４ａが嵌め込まれた後、屋内側断熱層１４の裏側から石膏ボード１０を上記のスペースに配置する。この際、先に上記スペース内に配置された断熱層本体部１４ａに石膏ボード１０を押し当て、断熱層本体部１４ａを厚み方向に圧縮させながら石膏ボード１０を上記スペース内に収める。そして、石膏ボード１０を所定の固定箇所にビスにて固定することにより、石膏ボード１０が屋内側断熱層１４の裏側に取り付けられるようになる。
【００４０】
なお、本実施形態では、図３に示すように、外壁パネル３の裏面の一部が石膏ボード１０の表面によって構成されており、残りの部分（厳密には、パネルフレーム１４ｂが配置されている部分を除く）については断熱層本体部１４ａの表面によって構成されている。より具体的に説明すると、パネルフレーム１４ｂの短辺部２１、長辺部２２及び中間部２３によって囲まれるスペースが屋外側に有する開口において、当該開口の下側部分が石膏ボード１０によって覆われ、それ以外の部分が断熱層本体部１４ａによって覆われている（図１参照）。
【００４１】
以上のように、本実施形態において、屋内側断熱層１４の裏側に固定された状態の石膏ボード１０は、断熱層本体部１４ａのうち、石膏ボード１０の周囲に位置する部分とともに外壁パネル３（厳密には、屋内側断熱層１４）の裏面を構成している。ただし、これに限定されるものではなく、外壁パネル３の裏面全体が石膏ボード１０によって構成されていてもよい。
【００４２】
以下では、石膏ボード１０の固定構造について図３乃至図５を参照しながら説明する。本実施形態では、図３に示すように、パネルフレーム１４ｂに舌状の突出部分１６が設けられており、この突出部分１６に石膏ボード１０が固定されている。
【００４３】
より詳しく説明すると、パネルフレーム１４ｂの長辺部２２は、軽溝形鋼（Ｃ形鋼）からなり、図４に示すように、中間部２３に面した開口を備えている。また、中間部２３は、Ｈ形鋼からなり、図４に示すように、両側端にそれぞれ長辺部２２に面した開口を備えている。つまり、長辺部２２及び中間部２３には、各々の延出方向に沿って延びた凹部２４が形成されていることになる。
【００４４】
そして、図４に示すように、長辺部２２及び中間部２３の各々に形成された凹部２４には受け金物１５が嵌まり込んでいる。この受け金物１５は、石膏ボード１０を固定するために用いられる金物である。また、受け金物１５は、図４に示すように、リップ溝側鋼からなるベース部分１７と、ベース部分１７の上端面から突出した突出部分１６と、を有する。ベース部分１７は、長辺部２２及び中間部２３の各々に形成された凹部２４に嵌め込まれる部分である。なお、ベース部分１７は、凹部２４に嵌め込まれた状態では、長辺部２２及び中間部２３の各々において凹部２４（具体的には開口）の両脇に位置する側壁に挟まれている。
【００４５】
そして、ベース部分１７が長辺部２２及び中間部２３の各々の凹部２４に嵌め込まれることで、長辺部２２及び中間部２３の各々に突出部分１６が設けられる。より詳しく説明すると、ベース部分１７が長辺部２２及び中間部２３の各々の凹部２４に嵌め込まれた状態において、突出部分１６は、長辺部２２及び中間部２３の各々の延出部分及び外壁パネル３の厚み方向の双方と交差する方向に突出している。
【００４６】
分かり易く説明すると、長辺部２２の凹部２４にベース部分１７が嵌まり込んだ受け金物１５では、図３に示すように突出部分１６が中間部２３に向かって突出している。また、中間部２３の凹部２４にベース部分１７が嵌まり込んだ受け金物１５では、図３に示すように突出部分１６が長辺部２２（厳密には、より近い方の長辺部２２）に向かって突出している。
【００４７】
そして、図４に示すように、長辺部２２及び中間部２３に設けられた突出部分１６のそれぞれに石膏ボード１０が当接しており、その上で、石膏ボード１０がビスＢ（締結具に相当）によって各突出部分１６に固定されている。なお、締結具については、ビスＢの代わりにネジや釘を用いてもよい。
【００４８】
また、本実施形態において、突出部分１６が長辺部２２及び中間部２３に設けられた状態では、外壁パネル３の裏面（厳密には、屋内側断熱層１４の裏面）よりも幾分表側（仕上げ材１１が位置する側）に突出部分１６が配置されている。より詳しく説明すると、外壁パネル３の裏面よりも石膏ボード１０の厚み分だけ表側にずれた位置に突出部分１６が配置されている。
【００４９】
したがって、石膏ボード１０が突出部分１６に固定されると、図５に示すように、外壁パネル３の裏面のうち、石膏ボード１０によって構成される領域と、石膏ボード１０の周囲に位置する断熱層本体部１４ａによって構成される領域とが略面一となる。換言すると、本実施形態では、外壁パネル３の裏面のうち、石膏ボード１０が占める領域と、断熱層本体部１４ａが占める領域とが外壁パネル３の厚み方向において同じ位置に配置されるように石膏ボード１０が突出部分１６に固定されている。
【００５０】
以上のように石膏ボード１０が取り付けられた外壁パネル３の裏面は、略平坦面となる。このような構成であれば、外壁パネル３の裏面において石膏ボード１０が位置する領域がその他の領域よりも突き出ている構成（すなわち、外壁パネル３の裏面が凹凸面となっている構成）に比べて、外壁パネル３の取り扱いがより容易となる。
【００５１】
なお、本実施形態では、石膏ボード１０の固定作業が外壁パネル３の製作工場にて行われる。つまり、本実施形態に係る外壁パネル３は、その裏面に石膏ボード１０が取り付けられた状態で建物１の建設現場に向けて運搬される。この際、外壁パネル３の裏面が略平坦面となっていれば、外壁パネル３の運搬性が向上し、効率よく外壁パネル３を運搬することが可能となる。
【００５２】
ちなみに、本実施形態では、長辺部２２や中間部２３に設けられた突出部分１６に石膏ボード１０を固定することとしたが、これに限定されるものではない。例えば、長辺部２２や中間部２３に石膏ボード１０を直接固定してもよい。
【００５３】
＜梁周りの耐火構造＞
次に、図１及び図６を参照しながら、梁２周りの耐火構造について、その施工手順と共に説明する。梁２周りの耐火構造は、建物１が法令等によって定められた耐火基準を満たす上で必須なものであり、従来は、例えば梁２の下面及び両側面（ウェブ部２ｂの両側面）を被覆断熱材にて覆う（隠す）構成を採用してきた。
【００５４】
これに対して、本実施形態に係る耐火構造は、上述した従来の構成よりも簡単なものであり、それ故に、耐火構造の施工作業についてもより容易に行うことが可能である。具体的に説明すると、耐火構造を構築するにあたっては、梁２を含め、建物１の躯体各部が既に所定位置に配置されている。その上で、先ず、梁２における上下のフランジ部２ａの各々に固定用金物（下側固定用金物４及び上側固定用金物９）をボルト留めする。この際、外壁パネル固定部４ｂ、９ｂの先端部（自由端部）が屋外側に面するように各固定用金物を配置する。
【００５５】
その後、外壁パネル３を所定位置に配置し、図６に示すように、外壁パネル３を各固定用金物に固定する。具体的に説明すると、上方の外壁パネル３を梁２の側方位置に配置し、上側固定用金物９の外壁パネル固定部９ｂに固定する。また、下方の外壁パネル３を梁２よりも若干下方（厳密には、下方の外壁パネル３の上端が梁２の下端と略同じ高さに来る位置）に配置し、下側固定用金物４の外壁パネル固定部４ｂに固定する。この結果、上下に並ぶ一対の外壁パネル３は、固定用金物を介して梁２のフランジ部２ａに固定されるようになる。
【００５６】
上方の外壁パネル３が梁２の上側のフランジ部２ａに固定された状態では、図１に示すように、梁２のウェブ部２ｂにおいて屋外側に位置する側面が上方の外壁パネル３の裏面に対向するようになる。より厳密に説明すると、本実施形態に係る耐火構造では、梁２のウェブ部２ｂにおける屋外側の側面が、外壁パネル３の裏面のうち、石膏ボード１０によって構成された部分（石膏ボード１０の表面がウェブ部２ｂに面している部分）に対向している。
【００５７】
なお、本実施形態では、図１に示すように、石膏ボード１０の高さが梁２の高さ（梁背）に比べて幾分短くなっているが、梁２の屋外側の遮熱性を確保するのに十分な高さとなっている。
【００５８】
外壁パネル３を設置して固定した後、梁２のうち、屋内側に面する部分を被覆断熱材５によって被覆する。被覆断熱材５は、断熱材（耐火材）であり、適度な可撓性を有する。そして、図１に示すように、梁２の屋内側の端面（具体的には、上下双方のフランジ部の小口面）から梁２の下面に亘って被覆断熱材５で被覆する。これにより、梁２の下面及びウェブ部２ｂにおいて屋内側に位置する側面が被覆断熱材５によって覆われるようになる。
【００５９】
本実施形態では、梁２を被覆断熱材５にて被覆するに際して、被覆断熱材５の屋内側の端部を梁２の上側のフランジ部２ａに溶接ピンＰにて固定する。このとき、溶接ピンＰにて固定される箇所よりも屋内側に被覆断熱材５が残るように（すなわち、固定しろが残るように）固定する。その後に被覆断熱材５を梁２の屋内側の側面から梁２の下面に亘って配置し、最終的に、被覆断熱材５の屋外側の端部を梁２の下側のフランジ部２ａに溶接ピンＰにて固定する。
【００６０】
梁２の屋内側部分を被覆断熱材５にて覆った後、内壁パネル７を外壁パネル３よりも屋内側に配置し、当該内壁パネル７を下側固定用金物４の内壁パネル固定部４ｃに固定する。これにより、内壁パネル７が梁２の下側のフランジ部２ａに固定される。
【００６１】
以上までの一連の工程が完了すると、梁２周りの耐火構造が完成する。完成した耐火構造においては、前述したように、梁２において屋内側に面する面（具体的には、上下双方のフランジ部の小口面及びウェブ部２ｂの側面）及び梁２の下面が被覆断熱材５によって覆われている。また、梁２のウェブ部２ｂにおいて屋外側に位置する側面が、一部が石膏ボード１０によって構成された外壁パネル３の裏面と対向している。このような耐火構造が梁２周りに構築されることにより、耐火基準を満たす建物１がより簡単な施工によって実現されるようになる。
【符号の説明】
【００６２】
１  建物
２  梁
２ａ  フランジ部
２ｂ  ウェブ部
３  外壁パネル
４  下側固定用金物
４ａ  梁固定部
４ｂ  外壁パネル固定部
４ｃ  内壁パネル固定部
５  被覆断熱材（断熱材）
６  床パネル
７  内壁パネル
８  支持金物
９  上側固定用金物（固定用金物）
９ａ  梁固定部
９ｂ  外壁パネル固定部
１０  石膏ボード（耐火材）
１１  仕上げ材
１２  通気層
１２ａ  スペーサ
１３  屋外側断熱層
１４  屋内側断熱層
１４ａ  断熱層本体部
１４ｂ  パネルフレーム（枠部）
１５  受け金物
１６  突出部分
１７  ベース部分
２１  短辺部
２２  長辺部（延出部分）
２３  中間部（延出部分）
２４  凹部
１００  梁
１０１，１０２  フランジ部
１０３  ウェブ部
１１０  ロックウール板
１１１  梁挿入部
１１２  被覆部
Ｂ  ビス（締結具）
Ｍ  目地（隙間）
Ｐ  溶接ピン
Ｓ  空間
Ｔ１  コーキング材
Ｔ２  シール剤
【図１】
2018155037.tif 000003
【図２】
2018155037.tif 000004
【図３】
2018155037.tif 000005
【図４】
2018155037.tif 000006
【図５】
2018155037.tif 000007
【図６】
2018155037.tif 000008
【図７】
2018155037.tif 000009